(57)【要約】  本発明は、ドアクローザであって、ハウジングが設けられており、該ハウジング内に、ドアまたはこれに類するものに結合するための軸が支承されており、該軸が、少なくとも所定の位置に、ばね負荷されたロックエレメントによって拘束可能である形式のものに関する。よりコンパクトなハウジング形状を有していて、これによって、より容易に収納することができるドアクローザを提案するために、本発明によれば、ロックエレメントを負荷するばねが、ハウジングから直角に突出していることが提案されている。
2007517999.tif 000002
【特許請求の範囲】
【請求項１】
ドアクローザであって、ハウジング（１）が設けられており、該ハウジング（１）内に、ドアまたはこれに類するものに結合するための軸（２）が支承されており、該軸（２）が、ハウジング（１）内に支承された制動ピストン（４）によって負荷されるようになっていて、少なくとも所定の位置に、ばね負荷されたロックエレメント（１３）によって拘束可能である形式のものにおいて、ロックエレメント（１３）を負荷するばね（１５）が、ハウジング（１）から直角に突出していることを特徴とする、ドアクローザ。
【請求項２】
ばね（１５）が、ハウジング（１）から直角に突出した、有利には管状のスリーブ（１２）内に支承されており、該スリーブ（１２）が、交換可能にハウジング（１）に結合されている、請求項１記載のドアクローザ。
【請求項３】
ロックエレメント（１３）が、ポット状のインサート（１４）を有しており、該インサート（１４）が、管状のスリーブ（１２）内に移動可能に支承されている、請求項１または２記載のドアクローザ。
【請求項４】
ポット状のインサート（１４）の底部からハウジング（１）内に支持体（１６）が突出しており、該支持体（１６）が、一端に、軸（２）と協働するローラ（１７）を支持している、請求項１から３までのいずれか１項記載のドアクローザ。
【請求項５】
ポット状のインサート（１４）が、スリーブ（１２）内に配置されたばね（１５）によってハウジング（１）に向かって負荷されている、請求項１から４までのいずれか１項記載のドアクローザ。
【請求項６】
スリーブ（１２）とポット状のインサート（１４）との間に、摩擦および／または摩耗を減少させる被覆層または中間層（１９）が設けられている、請求項１から５までのいずれか１項記載のドアクローザ。
【請求項７】
制動ピストン（４）が、ばね（６）によって偏心軸（３）に向かって負荷されるようになっている、請求項１から６までのいずれか１項記載のドアクローザ。
【請求項８】
ハウジング（１）の壁と制動ピストン（４）との間にシール部材（７）が設けられている、請求項１から７までのいずれか１項記載のドアクローザ。
【請求項９】
制動ピストン（４）が、弁装置（８，９）を介して、設定された位置に拘束可能である、請求項１から８までのいずれか１項記載のドアクローザ。
【請求項１０】
弁装置が、調整弁（８）と、該調整弁（８）からの流出に影響を与える遮断弁（９）とを有している、請求項１から９までのいずれか１項記載のドアクローザ。
【請求項１１】
遮断弁（９）が、過圧時に自動的に開放するようになっている、請求項１から１０までのいずれか１項記載のドアクローザ。
【請求項１２】
遮断弁（９）が、電磁的に操作可能である、請求項１から１１までのいずれか１項記載のドアクローザ。
【請求項１３】
制動ピストン（４）が、ローラ（５）を備えており、該ローラ（５）が、軸（２）に配置された偏心板（３）を負荷するようになっている、請求項１から１２までのいずれか１項記載のドアクローザ。
【請求項１４】
制動ピストン（４）が、ロッカ（２０）と偏心板（２１）とを介して軸（２）に結合されている、請求項１から１３までのいずれか１項記載のドアクローザ。
【発明の詳細な説明】
【技術分野】
【０００１】
本発明は、ドアクローザであって、ハウジングが設けられており、該ハウジング内に、ドアまたはこれに類するものに結合するための軸が支承されており、該軸が、少なくとも所定の位置に、ばね負荷されたロックエレメントによって拘束可能である形式のものに関する。
【０００２】
このようなドアクローザは十分に知られている。通常、このようなドアクローザはハウジングを有している。このハウジング内には、ドアまたはこれに類するものに結合可能な軸と、ばね負荷されたロックエレメントと、制動ピストンとが配置されている。ロックエレメントと制動ピストンとは、主として、軸の互いに反対の側で直列に位置しており、これによって、全体的に見て、縦長のハウジング形状が生ぜしめられる。しかし、このようなハウジング形状は、多くの事例では、収納しがたいものでしかない。なぜならば、まさにフロア領域に、しばしば、ハウジングのための長く延ばされた切欠きを設けることができないからである。このようなドアクローザは、ドイツ連邦共和国特許第４０３８７２０号明細書からオーバヘッドドアクローザとして、また、ドイツ連邦共和国特許出願公開第２７５５７８７号明細書からフロアコンシールドドアクローザとして知ることができる。
【０００３】
したがって、本発明の課題は、よりコンパクトなハウジング形状を有していて、これによって、より容易に、特にフロア内に収納することができ、片開きドアのためにも適しているドアクローザを提案することである。
【０００４】
この課題は、冒頭で述べた形式のドアクローザにおいて、ロックエレメントを負荷するばねが、ハウジングから直角に突出していることによって解決される。
【０００５】
この構造に基づき、本発明によるドアクローザのほぼＬ字形の構成が得られる。この構成は、狭められた場所状況下でも、一層容易に組み付けることができる。このことは、特にクローザ軸から、接触するドアフレームへのクローザの長さが最小量に減少させられる片開きドアのために適している。
【０００６】
従属請求項は、本発明による対象の別の構成を成している。
【０００７】
主部分（ハウジング）は四角体から成っている。この四角体には、その軸線に対して直角に管が固く結合されている。この管内には、底部を備えた別の短い管が長手方向移動可能に位置している。底部には、ローラを支持する支持体が固定されている。内外で差し嵌められた両管は相互間に鋼層を有している。これによって、摩耗が減少させられる。この場合、同時に管の熱処理を省略することができる。
【０００８】
有利な構成によれば、ばねが、ハウジングから直角に突出した、有利には管状のカートリッジ内に支承されており、該カートリッジが、交換可能にハウジングに結合されている。これによって、最小のスペースへのドアクローザのエレメントの配置だけでなく、ばねを収容するスリーブの適当な取付けも可能となり、これによって、カートリッジを容易にかつ迅速に交換することができる。
【０００９】
有利な構成によれば、ロックエレメントが、ポット状のインサートを有しており、該インサートが、管状のカートリッジ内に移動可能に支承されていると、ロックエレメントの構造が特に簡単に形成されている。この配置形式に基づき、カートリッジ内でのロックエレメントの引掛りなしのガイドを確保することができる。
【００１０】
有利な構成では、ポット状のインサートの底部からハウジング内に支持体が突出しており、該支持体が、軸と協働するローラを支持している。
【００１１】
ドアまたはこれに類するものに結合される軸を、規定された位置に確実に保持することができるように、ポット状のインサートが、スリーブ内に配置されたばねによってハウジングに向かって負荷されていると有利である。したがって、各位置で、軸に対するロックエレメントの確実な当付けが保証されている。
【００１２】
スリーブ内でのポット状のインサートの低摩擦のガイドと同時に僅かな摩耗を保証することができるように、有利な構成によれば、すでに前述したように、スリーブとポット状のインサートとの間に、たとえば鋼から成る、摩擦および／または摩耗を減少させる被覆層または中間層が設けられている。
【００１３】
軸の運動を減衰するために、有利な構成によれば、軸が、ハウジング内に支承された、ばね負荷された制動ピストンによって負荷されている。
【００１４】
ハウジングに対する制動ピストンの良好なシールを得るために、ハウジングの壁と制動ピストンとの間にシール部材が設けられていると有利である。
【００１５】
ドアまたはこれに類するものを、規定された位置に保持することができるように、有利な構成によれば、制動ピストンが、弁装置を介して、設定された位置に拘束可能である。
【００１６】
弁装置が、調整弁と、該調整弁からの流出に影響を与える遮断弁とを有していると有利である。したがって、簡単に調整弁を介して制動液の流出を制御することができるかもしくは阻止することができ、これによって、もはや制動ピストンの運動が不可能となり、ドアが、規定された位置に拘束される。
【００１７】
しかし、ドアの拘束時でも、ドアまたはこれに類するものの閉鎖を可能にするために、有利な構成によれば、遮断弁が、過圧時に自動的に開放するようになっており、ドアが、ばね力に基づき閉鎖するようになっている。
【００１８】
ドアの拘束を解除するためには、遮断弁が、電磁的に操作可能であってよい。
【００１９】
軸に対する制動ピストンの、動力を伝達するような当付けを確保するために、有利な構成によれば、制動ピストンが、ローラを備えており、該ローラが、軸に配置された偏心板を負荷するようになっている。
【００２０】
択一的には、制動ピストンが、ロッカと偏心板とを介して軸に結合されていてもよい。この構造は、強制ガイドによる同様の経路の利点を有している。
【００２１】
本発明によるドアクローザの別の特徴および利点は、有利な実施例の以下の説明から明らかである。
【００２２】
図１〜図３には、本発明によるドアクローザが、本発明に対して重要となる点でのみ示してある。
【００２３】
本発明によるドアクローザは、ほぼ方形のハウジング１を有している。このハウジング１内には、ドアまたはこれに類するものに結合可能な軸２が支承されている。この軸２は偏心板３を有している。この偏心板３は、制動ピストン４に支承されたローラ５に係合している。制動ピストン４もやはりハウジング１内に長手方向移動可能に支承されている。この場合、制動ピストン４は、同じくハウジング１内に支承されたばね６によって軸２に向かって押圧される。
【００２４】
制動ピストン４には、全周にわたって延びる溝内にシール部材７が配置されている。このシール部材７はハウジング１の壁に支持されている。ハウジング１の、軸２から離れて位置する端部には、調整弁８が設けられている。この調整弁８によって、ハウジング１内に位置する制動液の通流が調整されることにより、制動ピストン４の運動に影響を与えることができる。したがって、たとえばドアまたはこれに類するものを、規定された位置、たとえば開放された位置に拘束する（とどめる）ことができる。
【００２５】
ドアまたはこれに類するものの拘束時でも、ドアの所望された運動が可能となるように、遮断弁９が設けられている。この遮断弁９は、ドアの所望された運動時に自動的に閉鎖する。このためには、たとえば小さなピストン１０または弁座が設けられていてよい。このピストン１０は、図示の位置では、弁座に対するＯリング１１の摩擦によって制動液の流出を阻止しているものの、たとえばドアの所望された運動による制動液における圧力の増加時には移動させられ、これによって、拘束が解除され、ドアを運動させることができる。基本的には、遮断弁９の電磁的な操作も可能であり、これによって、本発明によるドアクローザが避難経路および救出経路にも使用可能となる。
【００２６】
ハウジング１に対して直角に管状のスリーブ１２またはカートリッジが延びている。このスリーブ１２は取外し可能にハウジング１に配置されている。スリーブ１２内には、ロックエレメント１３が長手方向移動可能に支承されている。このロックエレメント１３はポット状のインサート１４を有している。このインサート１４は管状のスリーブ１２内に支承されていて、同じくスリーブ１２内に支承されたばね１５によって軸２に向かって押圧される。
【００２７】
ポット状のインサート１４の底部から、ハウジング１に向かって支持体１６が突出している。この支持体１６はその前方の端部にローラ１７を支持している。このローラ１７は、たとえば軸２もしくは偏心板３に設けられた切欠き１８に係合している。
【００２８】
管状のスリーブ１２内でのポット状のインサート１４の可能な限り摩擦なしのかつ低摩耗の運動を確保するためには、インサート１４とスリーブ１２との間に、たとえば鋼から成る、摩擦および／または摩耗を減少させる被覆層または中間層１９が設けられている。
【００２９】
図３には、本発明によるドアクローザの択一的な構成が示してある。この構成では、制動ピストン４がロッカ２０と偏心板２１とを介して軸２に結合されている。
【００３０】
本発明によるドアクローザは、有利にはフロアコンシールドドアクローザとして考えられているものの、別の組付け位置に対しても使用可能である。
【図面の簡単な説明】
【００３１】
【図１】本発明によるドアクローザの横断面図である。
【図２】本発明によるドアクローザの別の横断面図である。
【図３】本発明によるドアクローザの別の構成の横断面図である。
【符号の説明】
【００３２】
１  ハウジング、  ２  軸、  ３  偏心板、  ４  制動ピストン、  ５  ローラ、  ６  ばね、  ７  シール部材、  ８  調整弁、  ９  遮断弁、  １０  ピストン、  １１  Ｏリング、  １２  スリーブ、  １３  ロックエレメント、  １４  インサート、  １５  ばね、  １６  支持体、  １７  ローラ、  １８  切欠き、  １９  中間層、  ２０  ロッカ、  ２１  偏心板
【図１】
2007517999.tif 000003
【図２】
2007517999.tif 000004
【図３】
2007517999.tif 000005
【国際調査報告】
2007517999.tif 000006
2007517999.tif 000007
2007517999.tif 000008
2007517999.tif 000009